(57)【要約】回路は、センサ信号をデジタル処理するためにアナログ−デジタル変換器（３３）を有する。センサ信号は、情報を表す信号成分（３１）と、更なる信号成分（３２）、例えばバイアス電流又は干渉とを有する。センサ信号をデジタル領域に変換する前に、入力信号は、入力信号の特性に依存して調整される。それに加えて、装置は、センサ信号を受信し、調整されたセンサ信号を出力する信号調整回路を有する。信号調整回路は、情報信号成分を高め、更なる信号成分を小さくする伝達関数を有するループフィルタ（２３）を有するアナログフィードバックループ（２５）を有する。これは、アナログ−デジタル変換器のダイナミックレンジ及び他の必要条件が低減されるという利点を有する。特に、回路は、携帯電話又は補聴器におけるエレクトレット・マイクロホンへ結合される。
2007526712.tif 000002
【特許請求の範囲】
【請求項１】
情報を表す情報信号成分と、情報を表さない更なる信号成分とを有する、センサからのセンサ信号をデジタル処理する装置であって、
前記センサ信号を受信し、調整されたセンサ信号を出力するための信号調整回路と、
処理されるべきデジタルセンサ信号へ前記調整されたセンサ信号を変換するためのアナログ−デジタル変換器とを有し、
前記信号調整回路は、前記情報信号成分を高める第１の伝達関数成分と、前記更なる信号成分を小さくする第２の伝達関数成分とを有する伝達関数を有するループフィルタを有するアナログフィードバックループを有することを特徴とする装置。
【請求項２】
前記アナログフィードバックループは、前記センサ信号と前記ループフィルタの出力信号とを受信する加算素子を有することを特徴とする請求項１記載の装置。
【請求項３】
前記第１の伝達関数成分は、前記情報信号成分としての第１の周波数帯域における帯域内信号成分を高めるよう配置され、
前記第２の伝達関数成分は、前記更なる信号成分としての第２の周波数帯域における干渉信号成分を小さくするよう配置されることを特徴とする請求項１記載の装置。
【請求項４】
前記第１の伝達関数成分は、前記情報信号成分としてのＡＣ信号成分を高めるよう配置され、
前記第２の伝達関数成分は、前記更なる信号成分としてのＤＣ信号成分を小さくするよう配置されることを特徴とする請求項１記載の装置。
【請求項５】
前記センサは、増幅素子を有するマイクロホンユニット、特に、電界効果増幅素子を有するエレクトレット・コンデンサ・マイクロホンであり、
前記第２の伝達関数成分は、前記増幅素子へバイアス電流を供給することによって前記更なる信号成分を小さくするよう配置されることを特徴とする請求項１記載の装置。
【請求項６】
前記信号調整回路は、第１の加算素子へ結合された第１のループフィルタを有する、第１の出力からの第１のアナログフィードバックループと、第２の加算素子へ結合された第２のループフィルタを有する、第２の出力からの第２のアナログフィードバックループとを有し、
前記第１及び第２の出力は、差動出力信号を供給することを特徴とする請求項１記載の装置。
【請求項７】
請求項１乃至６のうちいずれか一項記載のセンサからのセンサ信号をデジタル処理する装置と、前記センサとしてのマイクロホンユニットとを有する、具体的には携帯電話又は補聴器であるところの音声装置。
【発明の詳細な説明】
【技術分野】
【０００１】
本発明は、情報を表す情報信号成分と、情報を表さない更なる信号成分とを有する、センサからのセンサ信号をデジタル処理する装置に関する。
【０００２】
本発明は、更に、センサ信号をデジタル処理する装置と、センサとしてのマイクロホンユニットとを有する、具体的には携帯電話又は補聴器であるところの音声装置に関する。
【０００３】
本発明は、デジタル信号処理の分野、具体的には、マイクロホンへのインターフェースを提供して、マイクロホンからの音声信号を処理することに関する。
【背景技術】
【０００４】
文献ＵＳ２００２／００７１５７８は、マイクロホン、即ち、情報を表す情報信号成分を有するセンサ信号を発生させるセンサに対する合成バイアスを有するアナログ−デジタル（Ａ／Ｄ）変換器を開示する。更に、センサ信号は、情報を表さない更なる信号成分としてのＤＣ電流を含む。特に、エレクトレット・マイクロホン及びシグマ・デルタＡ／Ｄ変換器の組合せが記述されている。Ａ／Ｄ変換器出力は、エレクトレット・マイクロホンに含まれる接合ＦＥＴにバイアス電流を供給するデジタルＤＣフィードバックループを有する。更に、ＡＣ信号用のフィードバックループが設けられる。フィードバックループからのデジタル信号は、ＤＡＣ（デジタル−アナログ変換器）によりアナログ信号へ変換される。マイクロホンからの信号電流は、バイアス電流を供給するための更なる抵抗を必要とせずに、シグマ・デルタＡ／Ｄ変換器の入力積分器に直接的に入力される。しかし、フィードバックループは、複雑なデジタルフィルタリングを必要とする。更に、シグマ・デルタ出力は、基本的には単ビット出力であるが、フィルタ出力はマルチビット出力である。これは、更なる線形化回路を必要とする非線形性を引き起こしうる。特に、ＤＡＣは、高い極めて線形である必要がある。従って、既知の回路は、複雑であり、集積時に比較的大きなチップ領域を必要とする。
【特許文献１】米国特許出願ＵＳ２００２／００７１５７８
【発明の開示】
【発明が解決しようとする課題】
【０００５】
本発明は、センサへ直接接合を提供すると同時に、それほど複雑でないセンサ信号をデジタル処理するための装置を提供することを目的とする。
【課題を解決するための手段】
【０００６】
上記目的のために、本発明の第１の態様に従って、前出の装置は、前記センサ信号を受信し、調整されたセンサ信号を出力するための信号調整回路と、処理されるべきデジタルセンサ信号へ前記調整されたセンサ信号を変換するためのアナログ−デジタル変換器とを有し、前記信号調整回路は、前記情報信号成分を高める第１の伝達関数成分と、前記更なる信号成分を小さくする第２の伝達関数成分とを有する伝達関数を有するループフィルタを有するアナログフィードバックループを有する。
【０００７】
当該手段は、センサ信号が調整回路によってアナログ領域で調整され、一方、アナログフィードバックループ内のループフィルタは、不要な信号成分を十分に小さくするよう配置されるという効果を有する。第２に、前記調整されたセンサ信号は、アナログからデジタルへ変換される。信号調整回路は、装置外部の付加的な構成要素を用いずにセンサとの直接的なインターフェースをもたらすために、例えばＤＣバイアス電流を供給するよう更なる信号成分を扱う。従って、有利に、調整回路は、デジタル処理から分離される。更に、分離された信号調整回路は、アナログ−デジタル変換器のダイナミックレンジ及び精度がそれほど重要ではなくなり、一方、回路の全体は、それほど複雑ではなくなり、集積化に必要なチップ表面の面積を小さくすることができるという利点を有する。
【０００８】
本発明は、また、以下の認識に基づく。デジタル信号処理の技術分野では、アナログセンサからの信号は、デジタル領域へ変換され、その後、演算処理、フィルタ処理、増幅等をなされる。具体的には、当業者は、アナログセンサ信号の発生後できるだけ早くアナログ領域からデジタル領域への遷移を実行するであろう。本発明者は、最初にアナログ領域においてセンサ信号を調整することによって、Ａ／Ｄ変換器及び初期段階のデジタル信号処理の要求が極めて低減されると考えた。驚くほど、アナログ調整回路及びその後のそれほど複雑でないデジタル信号処理のための回路の総量は、特にチップでの集積時に、類似する性能レベルにある同程度のデジタルフロントエンド回路に比べて低い。
【０００９】
当該装置の実施例において、前記アナログフィードバックループは、前記センサ信号と前記ループフィルタの出力信号とを受信する加算素子を有する。これは、センサ信号内の不要な信号成分がループフィルタの出力信号内の信号成分によって補償されるという利点を有する。
【００１０】
当該装置の実施例において、前記第１の伝達関数成分は、前記情報信号成分としての第１の周波数帯域における帯域内信号成分を高めるよう配置され、前記第２の伝達関数成分は、前記更なる信号成分としての第２の周波数帯域における干渉信号成分を小さくするよう配置される。これは、干渉信号成分が帯域内信号成分に比して弱められるという利点を有する。
【００１１】
当該装置の実施例において、前記第１の伝達関数成分は、前記情報信号成分としてのＡＣ信号成分を高めるよう配置され、前記第２の伝達関数成分は、前記更なる信号成分としてのＤＣ信号成分を小さくするよう配置される。これは、ＤＣ信号成分がセンサにバイアスをかけるために必要に応じて供給され、一方、ＡＣ信号成分は増幅されるという利点を有する。
【００１２】
当該装置の実施例において、前記センサは、増幅素子を有するマイクロホンユニット、特に、電界効果増幅素子を有するエレクトレット・コンデンサ・マイクロホンであり、前記第２の伝達関数成分は、前記増幅素子へバイアス電流を供給することによって前記更なる信号成分を小さくするよう配置される。これは、マイクロホン信号が、バイアス電流を供給する間に高められるという利点を有する。
【００１３】
センサからのセンサ信号をデジタル処理する装置に係る前出の実施例はいずれも、前記センサとしてのマイクロホンユニットと共に、音声装置、特に携帯電話又は補聴器に含まれても良い。これは、デジタル信号処理回路がマイクロホンユニットと直接的に相互作用し、一方、アナログ−デジタル変換器の要求は低減されるという利点を有する。
【００１４】
更なる実施例は、従属請求項において与えられる。
【発明を実施するための最良の形態】
【００１５】
本発明の上記及び他の態様について明らかにするよう、一例として以下で記述される実施例及び添付の図面を参照して更に説明する。
【００１６】
異なる図中の対応する要素は、同一の参照番号を有する。
【００１７】
図１は、エレクトレット・マイクロホンにバイアスをかけるための従来技術の回路の回路図を示す。例えば携帯電話及び補聴器といった音声入力を有する用途は、しばしばエレクトレット・コンデンサ・マイクロホンを使用する。筐体内にエレクトレット素子を有するＪＦＥＴ（接合電界トランジスタ）を有することは一般的であり、このような複合ユニットは、エレクトレット・マイクロホンと呼ばれる。ＪＦＥＴは、そのゲートをエレクトレットの端子の一方へ接続されており、そのソースをエレクトレットの他方の端子へ接続されている。更に、同じ筐体内に組み込まれたゲートバイアス抵抗は、エレクトレットに並列接続されている。ＪＦＥＴは、デプリーションＦＥＴである。これは、そのゲート−ソース間電圧ＶＧＳが０Ｖである場合に、ＦＥＴには直流が流れることを意味する。エレクトレット及び半導体素子の異なる構成が用いられても良いことが知られる。例えば、エレクトレットは、ＦＥＴのゲートとドレインとの間に接続される。
【００１８】
その近傍での空気圧の変動を表す出力信号を得るよう、エレクトレット及びＪＦＥＴの組合せは、バイアス電流を必要とする。図は、このようなバイアス電流を、筐体内に置かれたエレクトレット１と、ゲートバイアス抵抗Ｒｂｉａｓと、ＪＦＥＴ２とを有するマイクロホンユニット３へ供給するための一般的な回路を示す。回路は、電源ＭｉｃＢｉａｓからバイアス電流を供給するための２つの外部抵抗Ｒ１及びＲ２と、例えば演算処理ＩＣ４のような後の回路の入力部へ信号を結合するための２つのキャパシタＣ１及びＣ２とを有する。
【００１９】
通常、ＤＣバイアス電流は、実際のＡＣ信号電流の大きさの約１０〜５０倍である。ゲートバイアス抵抗Ｒｂｉａｓは、そのゲート−ソース間電圧ＶＧＳが０Ｖであることを実現するように、ＪＦＥＴ２のゲートにバイアスをかける。通常の用途では、ＪＦＥＴ２及びエレクトレット・マイクロホン１の組合せは、３００μＡの電流を伝送する。この電流は、通常１〜２ｋΩの抵抗Ｒ１及びＲ２によって電圧に変換される。演算処理ＩＣ４は、Ｖｉｎ１及びＶｉｎ２でＡＣマイクロホン信号用の入力部を設け、ひいては、ＭｉｃＢｉａｓと零供給端子ＶＳＳＡとの間でバイアス電流を供給する。
【００２０】
２つのキャパシタＣ１及びＣ２により、マイクロホンの出力信号は、例えば、更なる処理のために音声信号をデジタル領域に変換するＡ／Ｄ変換器へ接続されうる。この回路は、４つの外部構成要素と、２つの信号ピンと、マイクロホン供給ピンとを必要とする。マイクロホン供給ピンでは、ノイズのない供給電圧が集積回路によって発生する。要するに、このバイアス方式は、４つの構成要素と３つのＩＣピンとを使用する。
【００２１】
図２は、入力信号に依存する信号調整回路を示す。回路は、センサ信号２１を受信し、調整されたセンサ信号２２を出力部Ｙで出力するよう配置されている。調整されたセンサ信号は、デジタル信号処理装置（図示せず。）において処理されるべきデジタルセンサ信号へ調整されたセンサ信号を変換するために、その後のアナログ−デジタル変換器へ結合されるべきである。センサ信号は、情報を表す情報信号成分（Ａ）と、情報を表さない更なる信号成分（Ｂ）、例えばバイアス電流とを有する。信号調整回路は、加算素子２４を介してセンサ信号２１へ結合されたループフィルタ２３を有するアナログフィードバックループ２５を有する。ループフィルタ２３は、情報信号成分Ａを高めるための第１の伝達関数成分と、更なる信号成分Ｂを小さくするための第２の伝達関数成分とを有する伝達関数を有する。入力信号成分Ａ及びＢは、例えば周波数及び振幅において、異なる仕様を有する。信号調整回路の伝達関数２６は、
【００２２】
【数１】
2007526712.tif 000003
である。利得及び周波数の応答が入力信号成分Ａ及びＢの信号特性に依存するようにループフィルタの伝達関数Ｈを選ぶことによって、入力信号の特性に依存する信号調整が達成される。
【００２３】
図３は、マイクロホン用の入力信号に依存する信号調整回路を示す。マイクロホン出力電流は、２つの成分、即ち、ＡＣ成分３１及びＤＣ成分３２として解析される。図２の回路が適用され、調整された出力信号２２が関数３４によって与えられる。低周波（ＤＣ）に対しては高い利得を有し、ＡＣ信号（音声信号）に対しては低い利得を有するループフィルタ２３の伝達関数Ｈ（ｗ）に関して、出力３５の応答関数ｉｏｕｔ，ａｃが図４内に与えられている。信号調整回路の出力部でのＤＣ成分は、Ｈ（ｗ）の低周波利得によって減衰する。入力されたＤＣ成分がＡＣ入力信号よりも１０倍大きく、Ｈ（ｗ）が例えば１０００のＤＣ利得を有する場合には、出力されたＤＣ成分は、ＡＣ電流よりも１００倍小さくなりうる。
【００２４】
調整回路の後にはＡ／Ｄ変換器３３（ＡＤＣ）が続く。回路の意図は音声信号をデジタル領域に変換することであるから、ＤＣ成分はデジタル領域では必要とされない。従って、ＡＤＣのダイナミックレンジは、ＤＣ成分がＡＣ信号の１００分の１しかないので、ＡＣ信号の変換のためにほぼ完全に使用されうる。故に、ＡＤＣのダイナミックレンジの１／（１＋０．０１）×１００％＝９９．００９％は、有効な入力信号によって使用される。一方、マイクロホン信号を直接的に変換する回路では、これは、１／（１＋１０）×１００％＝９．０９％であり、１０倍大きいダイナミックレンジが、同じ分解能でＡＣ信号を変換するために必要とされた。
【００２５】
図４は、ループフィルタの伝達関数を示す。伝達関数Ｈ（０）が曲線４１によって示されている。なお、横軸は周波数を表し、縦軸は応答を表す。Ｉｏｕｔ，ａｃと表示される、図３の調整回路の出力部３５において結果として生ずる周波数応答は、第２の曲線（破線）４２によって示される。
【００２６】
実施例において、調整回路の更なる利点は、以下の通りである。ＤＣバイアス電流に関して、ループフィルタの伝達関数におけるＤＣ成分が適用される。更に、低周波音の抑制は、ループフィルタの伝達関数において低域通過フィルタを含むことによって実現されても良い。例えば、音声信号帯域幅（所謂、帯域内信号）の外側にある５０Ｈｚの干渉は、信号調整回路によって減じられる。Ｈがｆ−３ｄＢで０ｄＢラインに交差する低域通過一次フィルタである場合に、ＡＣ信号は、例えばｆ−３ｄＢにより図４中に示されるように、この周波数で−３ｄＢ程度を有しうる。例えばｆ−３ｄＢ＝１００Ｈｚである場合には、５０Ｈｚは、この場合に６ｄＢだけ減衰しうる。また、他の低周波干渉雑音も減衰しうる。これは、例えば、携帯電話が車のような騒がしい環境で使用される場合に有効となりうる。
【００２７】
図５は、調整回路の実施を示す。第１の増幅器５１は、基準電圧Ｖｒｅｆへ結合された正の入力部を有する。基準電圧Ｖｒｅｆは、負の入力部へ結合された出力Ｖｏｕｔ１に対して適切な基準ＤＣレベルを供給する。ループフィルタ５２は、図３及び４により論じられたような低域通過関数を提供し、低域通過フィルタの出力は、例えば図１に示されたＪＦＥＴを含むエレクトレット・マイクロホンユニットのような、マイクロホンユニット３の第１の端子へ第１の加算ノード６５において結合された電流源５３を制御する。第２の増幅器５４は、基準電圧Ｖｒｅｆへ結合された負の入力部を有する。基準電圧Ｖｒｅｆは、正の入力部へ結合された出力Ｖｏｕｔ２に対して適切な基準ＤＣレベルを供給する。ループフィルタ５５は、図３及び４により論じられたような低域通過関数を提供し、低域通過フィルタの出力は、マイクロホンユニット３の第２の端子へ第２の加算ノード６６で結合された電流源５６を制御する。制御される両電流源５３、５６は、矢印６０、６３及び６４によって示されたＤＣバイアス電流Ｉｍｉｃ，ＤＣを供給する。マイクロホンユニット３からのＡＣ電流は、矢印６１によって示されるように、出力Ｖｏｕｔ１を発生させる第１の出力増幅器カスケード回路５７と、出力Ｖｏｕｔ２を発生させる第２の出力増幅器カスケード回路５８とへ結合されている。夫々のカスケードは、正の電流源、正の増幅ＦＥＴ、負の増幅ＦＥＴ及び負の電流源の直流回路を有する。Ｖｏｕｔ１及びＶｏｕｔ２の両出力は、負荷５９と、更には、ＡＤＣ（図示せず。）とへ結合された差動出力信号を供給する。
【００２８】
２つの演算増幅器５１、５４は、ＤＣ出力電圧を基準電圧（例えば、供給電圧の半分の電圧）へと調整する。Ｈは低域通過ループフィルタ５２、５５として実施されるので、ＤＣ出力電圧のみが調整され、マイクロホンＡＣ出力電流は、カスケード５７、５８に印加される。これは、フィルタがＡＣ信号周波数を減衰させているためであり、制御される電流源５３、５６は、マイクロホンによって必要とされるＤＣ成分と、干渉を低減する幾らかの低いＡＣ周波数成分とのみを伝送する。より高い周波数（帯域内）でのＡＣ電流は、負荷５９で出力電圧へ変換される。これは、例えばＡ／Ｄ変換器による更なる信号処理のために使用される。
【００２９】
図５は平衡回路を提供することが知られる。代わりの実施例では、同様の素子が、シングルエンド構成において使用される。その場合には、単一のループ及びループ低域通過フィルタしか必要とされない。
【００３０】
本発明は、増幅半導体としてのＦＥＴに基づく実施例によって主に説明されてきたが、本発明は、如何なる形式のアナログ増幅素子を用いて実施されても良いことが知られる。更に、本明細書等において、語「有する」は、挙げられている以外の他の要素又はステップの存在を認めないわけではなく、その前に置かれた語「１つの」は、このような要素の複数個の存在を認めないわけではないこと、如何なる参照符号も請求項の適用範囲を限定しないこと、本発明はハードウェア及びソフトウェアの両方により実施されても良いこと、及び、幾つかの「手段」はハードウェアの同じ物品により表されても良いことが知られる。更に、本発明の適用範囲は、実施例には限定されず、本発明は、ありとあらゆる新規の特徴又は上述した特徴の組合せに存ずる。
【図面の簡単な説明】
【００３１】
【図１】エレクトレット・マイクロホンにバイアスをかけるための従来技術による回路の回路図を示す。
【図２】入力信号に依存する信号調整回路を示す。
【図３】マイクロホン用の入力信号に依存する信号調整回路を示す。
【図４】ループフィルタの伝達関数を示す。
【図５】調整回路の実施を示す。
【図１】
2007526712.tif 000004
【図２】
2007526712.tif 000005
【図３】
2007526712.tif 000006
【図４】
2007526712.tif 000007
【図５】
2007526712.tif 000008
【国際調査報告】
2007526712.tif 000009
2007526712.tif 000010